(57)【要約】  装置の加入者が、リングバックトーン（ＲＢＴ）のコンテンツを、（ｉ）制限レベルもしくは成熟度に基づいて、または（ｉｉ）呼接続する処理中に動的に制御することができる方法およびシステム。より具体的には、呼設定中、（ａ）プロビジョニングまたは契約されたＲＢＴ制御が、成熟度に基づくことができ、（ｂ）動的ＲＢＴ制御が、契約／プロビジョニングされた制限レベルを無効にし、再生中のＲＢＴコンテンツを永久的にブロックし、または現在の呼設定時間中、再生中のＲＢＴコンテンツをスキップする能力を含む。
2010531603.tif 000002
【特許請求の範囲】
【請求項１】
通信システムにおいて発呼側を着呼側に接続する方法であって、発呼側に再生または表示されるリングバックトーン（ＲＢＴ）コンテンツを制御するステップを含む、方法。
【請求項２】
前記ＲＢＴコンテンツを制御するステップは、予め決められた所定の制限（成熟度）に基づく、請求項１に記載の方法。
【請求項３】
前記発呼側は、呼設定時間中に前記ＲＢＴコンテンツを動的に制御する、請求項１に記載の方法。
【請求項４】
動的制御は、予め制限されていない場合のみ可能であり、可能な場合、ＲＢＴコンテンツは、個人識別番号の使用または時間に基づいて無効にされる、請求項３に記載の方法。
【請求項５】
前記発呼側により使用される装置の加入者が前記ＲＢＴコンテンツを制御するステップは、成熟度または制限度に基づく、請求項１に記載の方法。
【請求項６】
前記発呼側により使用される装置の前記加入者が成熟度または制限度を変更するステップをさらに含む、請求項５に記載の方法。
【請求項７】
前記発呼側に再生または表示されるものとして選択された前記ＲＢＴコンテンツは、前記発呼側により使用される前記装置の前記成熟度または制限度に適切なものである、請求項５に記載の方法。
【請求項８】
発呼側プロファイルに基づいて前記着呼側のＲＢＴコンテンツ選択を無効にするステップをさらに含む、請求項１に記載の方法。
【請求項９】
前記発呼側により使用される前記装置に属する所定の成熟度または制限度が見合った場合、すべてのＲＢＴコンテンツを非アクティブ化するステップをさらに含む、請求項１に記載の方法。
【請求項１０】
前記発呼側の装置を前記着呼側の装置に接続する前に、前記発呼側により使用される前記装置の加入者を、異なる成熟度または制限度に相関付けるステップと、
前記発呼側の装置を前記着呼側の装置に接続する処理中、前記発呼側の装置に相関付けられた前記成熟度または制限度を参照するステップと、
前記発呼側により使用される前記装置に相関付けられた前記成熟度または制限度に適切なＲＢＴコンテンツをＲＢＴプラットフォームから提示するステップと
をさらに含む、請求項１に記載の方法。
【請求項１１】
前記発呼側の装置に相関付けられた前記成熟度または制限度は、サービスプロバイダにより保持される、請求項１０に記載の方法。
【請求項１２】
前記発呼側の装置に相関付けられた前記成熟度または制限度は、前記発呼側の発信元交換機またはハンドセットのメモリ位置のうちの１つに保持される、請求項１０に記載の方法。
【請求項１３】
前記装置は、携帯ハンドセット、個人情報端末、スマートフォン、局、端末、電話、およびユーザ装置からなる群から選択されるものを含む、請求項１に記載の方法。
【請求項１４】
呼設定処理中、前記発呼側がネットワークノードに、前記発呼側に対して再生されるＲＢＴコンテンツを非アクティブ化または変更するように構成された情報を送信することをさらに含む、請求項１に記載の方法。
【請求項１５】
呼毎またはセッション毎にＲＢＴコンテンツを選択し、非アクティブ化し、または変更するステップをさらに含む、請求項１４に記載の方法。
【請求項１６】
通信システムにおいて着呼側への接続が試みられていることを発呼側に警告する方法であって、
前記発呼側により使用される装置に相関付けられた成熟度または制限度に関する情報を、ネットワークノードからＲＢＴプラットフォームに送信するステップと、
選択されたＲＢＴコンテンツを、前記成熟度または制限度に基づいて前記発呼側により使用される前記装置に搬送させるステップと
を含む、方法。
【請求項１７】
前記ネットワークノードは、エンドオフィススイッチおよび移動交換センタ（ＭＳＣ）からなる群からのものである、請求項１６に記載の方法。
【請求項１８】
適切なコンテンツが代替として指定されない場合、前記ＲＢＴプラットフォームが標準リングトーンまたはデフォルトＲＢＴコンテンツを前記発呼側の装置に搬送させるステップをさらに含む、請求項１６に記載の方法。
【請求項１９】
所定の時間制限に従って所定の制限クラスを無効にするステップをさらに含む、請求項１６に記載の方法。
【請求項２０】
通信システムにおいて着呼側への呼が接続されていることを発呼側に通知する方法であって、
前記発呼側により使用される装置に適用可能な成熟度または制限度のレベルに関して、サービスプラットフォームのデータベースに問い合わせるステップと、
前記選択されたＲＢＴコンテンツを、前記成熟度または制限度のレベルに基づいて、前記発呼側により使用される前記装置に搬送させるステップと
を含む、方法。
【請求項２１】
通信システムにおいて発呼側を着呼側に接続するシステムであって、前記発呼側の装置で前記発呼側に対して再生されるリングバックトーン（ＲＢＴ）のコンテンツを制御または無効にする手段を備える、システム。
【請求項２２】
前記システムは、前記発呼側により使用される前記装置に相関付けられた成熟度および制限度データを記憶するように構成されたネットワークノードを備え、前記ネットワークノードは、前記データを、着呼側の装置に相関付けられたＲＢＴコンテンツを記憶するために使用されるＲＢＴプラットフォームに搬送するように構成され、
発呼側に再生または表示される前記ＲＢＴコンテンツは、前記ＲＢＴコンテンツおよび前記発呼側により使用される前記装置に属する成熟度または制限度の整合に基づく、請求項２１に記載のシステム。
【請求項２３】
前記ネットワークノードは、エンドオフィススイッチおよび移動交換センタ（ＭＳＣ）からなる群からのものを含む、請求項２２に記載のシステム。
【請求項２４】
前記着呼側は、前記発呼側により使用される前記装置の前記成熟度または制限度に相関付けられるＲＢＴコンテンツを選択する、請求項２２に記載のシステム。
【請求項２５】
サービスプロバイダは、前記成熟度または制限度に基づいて前記発呼側により使用される前記装置に提示されるデフォルトＲＢＴコンテンツを提供する、請求項２２に記載のシステム。
【請求項２６】
前記ＲＢＴプラットフォームは、前記発呼側により使用される前記装置の前記成熟度または制限度に基づいて、ＲＢＴコンテンツを代替するように構成される、請求項２２に記載のシステム。
【請求項２７】
前記ＲＢＴプラットフォームは、適切なコンテンツが代替として指定されていないか、または利用可能ではない場合、標準リングトーンまたはデフォルトＲＢＴコンテンツを前記発呼側または加入者の前記装置に搬送させるように構成される、請求項２２に記載のシステム。
【請求項２８】
前記発呼側または加入者の前記装置に相関付けられた成熟度または制限度を保持するデータベースに問い合わせるように構成されたサービスプラットフォームをさらに備える、請求項２２に記載のシステム。
【請求項２９】
発信元交換機に結合された発呼側装置を有し、前記発信元交換機は発呼側ゲートウェイ移動交換センタ（ＧＭＳＣ）に結合され、前記発呼側ＧＭＳＣは発呼側ホームロケーションレジスタ（ＨＬＲ）に結合され、サービス制御ポイント（ＳＣＰ）およびインテリジェントペリフェラル（ＩＰ）プレーヤは発呼側ＧＭＳＣに結合され、発呼側プロビジョニングシステムはＩＰプレーヤに結合され、着呼側リングバックトーン（ＲＢＴ）プラットフォームは前記プロビジョニングシステムに結合され、前記システムは、
前記発呼側ＨＬＲに結合され、前記発呼側の装置に属する前記成熟度または制限度のプロファイルを保持するように構成された発呼側データベースをさらに備える、請求項２２に記載のシステム。
【請求項３０】
前記発呼側データベースは、前記発呼側により使用される前記装置に相関付けられた成熟度および制限度を記憶するように構成され、前記発呼側データベースは、着呼側の装置に相関付けられたＲＢＴコンテンツを記憶するために使用される前記ＲＢＴプラットフォームに前記データを搬送するように構成され、
前記ＩＰプレーヤは、前記ＲＢＴコンテンツおよび前記発呼側により使用される前記装置に属する成熟度または制限度の整合に基づいて、ＲＢＴコンテンツを発呼側に再生または表示するように指示される、請求項２９に記載のシステム。
【請求項３１】
発呼側が、呼毎またはセッション毎に、前記発呼側により指示されるように、ネットワークノードにＲＢＴコンテンツを無効にさせるように構成された手段をさらに備える、請求項２２に記載のシステム。
【請求項３２】
所定の時間制限に従って所定の制限クラスを無効にするように構成された、サービスプラットフォーム内のメカニズムをさらに備える、請求項３１に記載のシステム。
【請求項３３】
前記手段は、契約された成熟度または制限度を変更するように動作可能な特徴コードを提供することにより実施される、請求項３１に記載のシステム。
【請求項３４】
前記ネットワークノードは、成熟度または制限度を漸進的に実施し、前記発呼側が前記成熟度または制限度を上下に移動できるようにするように構成される、請求項３３に記載のシステム。
【請求項３５】
前記成熟度または制限度は、前記発呼側または加入者が成熟度または制限度をアクティブ化または非アクティブ化できるようにするように構成されたブールである、請求項３３に記載のシステム。
【請求項３６】
前記発呼者がＲＢＴコンテンツを制御するために使用する装置内の手段をさらに備える、請求項２２に記載のシステム。
【請求項３７】
発呼側がＲＢＴコンテンツの再生または表示に関するオプションを選択できるようにするように構成される、装置への入力手段をさらに備える、請求項３６に記載のシステム。
【請求項３８】
前記入力手段は、キーパッド、音声認識システム、およびタッチスクリーンからなる群から選択されるものである、請求項３７に記載のシステム。
【請求項３９】
特定の呼のＲＢＴの非アクティブ化、
すべての呼のＲＢＴの非アクティブ化、
呼毎のＲＢＴの非アクティブ化、
特定の呼の特定のＲＢＴの非アクティブ化、
すべての呼の特定のＲＢＴの非アクティブ化、
特定の呼および特定の着呼側のすべての将来の呼のＲＢＴの非アクティブ化、
すべての呼のＲＢＴの再アクティブ化、
呼毎のＲＢＴの再アクティブ化、
特定の呼の特定のＲＢＴの再アクティブ化、
すべての呼の特定のＲＢＴの再アクティブ化、
特定の呼および特定の着呼側のすべての将来の呼のＲＢＴの再アクティブ化、
特定の呼のペアレントコントロールの非アクティブ化、
特定の呼およびすべての将来の呼のペアレントコントロールの非アクティブ化、
特定の呼および特定の着呼側のすべての将来の呼のペアレントコントロールの非アクティブ化、
特定の呼およびあらゆる着呼側のすべての将来の呼のペアレントコントロールの非アクティブ化、
特定の呼のペアレントコントロールの再アクティブ化、
特定の呼およびすべての将来の呼のペアレントコントロールの再アクティブ化、
特定の呼および特定の着呼側のすべての将来の呼のペアレントコントロールの再アクティブ化、および
特定の呼およびあらゆる着呼側のすべての将来の呼のペアレントコントロールの再アクティブ化
からなる群から選択される動作を可能にするようにプログラム可能な、ハードウェアで実行可能なソフトウェアをさらに備える、請求項３８に記載のシステム。
【請求項４０】
通信システムにおいて発呼側の装置を着呼側の装置に接続するサブシステムであって、
発呼側の装置に適用可能な成熟度または制限度のクラスについて、サービスプラットフォームの発呼側データベースに問い合わせる手段と、
前記成熟度または制限度のクラスに基づいて、選択されたＲＢＴコンテンツを前記発呼側の装置に搬送させる手段と、
を備える、サブシステム。
【請求項４１】
通信システムにおいて発呼側または加入者を着呼側に接続する際に使用されるプラットフォームであって、成熟度または制限度に関連する前記発呼側のプロファイルを記憶するハードウェアおよびソフトウェアを有する第１のノードを備え、前記ノードは、前記成熟度または制限度に基づいて、前記発呼側の装置で再生されるリングバックトーン（ＲＢＴ）のコンテンツを制御するように構成された第２のノードと通信する、プラットフォーム。
【請求項４２】
前記第１のノードは、交換機あるいは回線情報データベース、サービス制御ポイント、ホームロケーションレジスタ、およびホーム加入者サーバからなる群から選択されるデータベースを備える、請求項４１に記載のプラットフォーム。
【請求項４３】
ネットワークサービスプロバイダにより決定されたＲＢＴコンテンツを提示するように構成される、請求項４１に記載のプラットフォーム。
【請求項４４】
加入者により決定された特定の成熟度または制限度を有するＲＢＴコンテンツを、サービス合意または契約に従って発呼側により使用される装置に提示するように構成される、請求項４１に記載のプラットフォーム。
【請求項４５】
前記成熟度または制限度は、前記第１のノードにローカルに記憶され、前記第１のノードは、発信元交換機またはデータベースサーバをさらに備える、請求項４４に記載のプラットフォーム。
【請求項４６】
前記第１のノードは、呼、データセッション、またはマルチメディアセッションが発信されると、前記発呼側または加入者の前記成熟度または制限度を、終端交換機である前記第２のノードに転送するように構成された発信元交換機である、請求項４５に記載のプラットフォーム。
【請求項４７】
前記成熟度または制限度は、ＩＳＤＮユーザ部（ＩＳＵＰ）初期アドレスメッセージ（ＩＡＭ）、ＣＡＭＥＬアプリケーション部／インテリジェントネットワークアプリケーションプロトコル（ＣＡＰ／ＩＮＡＰ）初期ＤＰメッセージ、およびセッション開始プロトコル（ＳＩＰ）：ＩＮＶＩＴＥからなる群からのものを使用して、前記発信元交換機から前記終端交換機に搬送される、請求項４６に記載のプラットフォーム。
【請求項４８】
前記終端交換機は、必要に応じて、前記発信元交換機から前記発呼側により使用される前記装置の前記成熟度または制限度をプルするように構成される、請求項４６に記載のプラットフォーム。
【請求項４９】
前記終端交換機は、トランザクション機能応用部（ＴＣＡＰ）およびＳＩＰクエリからなる群から選択されるものを使用して、前記発信元交換機から前記発呼側により使用される前記装置の前記成熟度または制限度をプルするように構成される、請求項４８に記載のプラットフォーム。
【発明の詳細な説明】
【技術分野】
【０００１】
技術分野
本発明は通信システムに関する。より詳細には、本発明は、限定はされないが、リングバックトーン（ＲＢＴ）コンテンツの発呼側制御のシステムおよび方法に関する。本明細書において使用する以下の略語は、以下の意味を有する。
ＣＡＭＥＬ−移動網用拡張ロジックのためのカスタマイズアプリケーション
ＣＰＣ−発呼側カテゴリ
ＣＲＢＴ−カラーリングバックトーン
ＧＭＳＣ−ゲートウェイＭＳＣ
ＨＬＲ−ホームロケーションレジスタ
ＨＳＳ−ホーム加入者サーバ
ＩＳＵＰ−ＩＳＤＮユーザ部
ＬＩＤＢ−回線情報データベース
ＭＳＣ−移動交換センタ
ＲＢＴ−リングバックトーン
ＳＣＰ−サービス制御ポイント
ＳＩＰ−セッション開始プロトコル
【背景技術】
【０００２】
背景
無線基盤、有線基盤、または両方を使用する通信システムを介して行われる呼では、発呼側は、通信手段を使用して、着呼側に信号通知する。呼を開始した側は発呼者、発呼側、または起呼側と呼ばれ、呼を受信する側は、着呼側または終端側と呼ばれる。サービスの加入者が、実際の発呼側または着呼側でなくてもよいことに留意する。例えば、親が無線サービスの加入者であり得るが、発呼側または着呼側はその親の子であり得る。本明細書において使用されるように、加入者および発呼／着呼側が同じ人物であるか、それとも異なる人物であるかは、「加入者」という用語の使用の文脈に依存する。さらに、ＲＢＴは、呼設定中に呼び出される終端サービスであるため、ＲＢＴ加入者は常に着呼側である。
【０００３】
通信サービスプロバイダは、着呼側としての役割で、着呼側が、発呼側に提供される通常の呼出音を、呼接続する処理中に着呼側により選択されるトーンまたは音声クリップで代替できるようにする、加入者に提供されるサービスであるＲＢＴを開発した。トーンまたは音声クリップを他のメディアコンテンツで代替することも可能である。したがって、発呼者に提示されるＲＢＴコンテンツは、映像、テキスト、画像、写真等であることができ、発呼者のハンドセットの能力および通信ネットワークの伝送能力によってのみ制限される。このサービスは、カラーリングバックトーン（ＣＲＢＴ）としても知られている。現在、発呼側は、着呼側により選択されたＲＢＴコンテンツに従う。
【０００４】
テレビ、ラジオ、動画、テレビゲーム、および他のエンターテイメントに割り当てられた、義務付けられたまたは自主的な格付けがある。ＲＢＴサービスプロバイダは、ＲＢＴコンテンツも格付けする。多くのＲＢＴサービスプロバイダは、着呼側としての役割において、「ペアレントコントロール付き」として分類される加入者による不適切なＲＢＴコンテンツの購入を制限するポリシーを確立している。ＲＢＴコンテンツの格付けおよび未成年者等のペアレントコントロール付き加入者による購入またはプレビューの制限は、これら格付けおよびコントロールに沿う。
【０００５】
上述したように、ＲＢＴコンテンツを制限する能力は、着呼側に提供されるが、発呼側には提供されない。これは、ＲＢＴが終端加入者サービスであるためである。換言すれば、終端ユーザは、ＲＢＴサービスに加入している着呼側であり、発呼者は、着呼側である加入者により指定されるＲＢＴコンテンツを聴く。この状況では、発呼側は自由に選択する権限がなく、ＲＢＴの解除またはＲＢＴのスキップを選択しようがない。すなわち、発呼者は、着呼側により設定された任意の選好を無効にする制御権を持たない。
【発明の概要】
【発明が解決しようとする課題】
【０００６】
加入者が、発呼者の役割において、発呼者に提供されたＲＢＴコンテンツに対する制御を実行することができるシステムおよび方法を有することが有利であろう。このような制御は、（ａ）成熟度に基づくプロビジョニングまたは契約されたＲＢＴ制御、および（ｂ）契約／プロビジョニングされた制限レベルを無効にし、再生中のコンテンツをブロックし、現在の呼設定時間中に再生中のコンテンツをスキップする能力を含む動的ＲＢＴ制御を含む。本発明はこのようなシステムおよび方法を提供する。
【課題を解決するための手段】
【０００７】
概要
本発明は、発呼者である加入者に、発呼者の携帯ハンドセット、個人情報端末、スマートフォン、局、端末、電話、またはユーザ装置（本明細書では、装置または電話と集合的に呼ばれることもある）で聞こえるＲＢＴコンテンツのアクティブ化、非アクティブ化、および／または他の様式での制御を行う能力を提供するように構成される。発呼者のＲＢＴ制御は、事前定義される発呼者の成熟度および／または呼設定中の発呼者の命令に基づいて、着呼側のＲＢＴ選択を無効にする能力を含むが、これに限定されない。より具体的には、本発明は、発呼側により使用される装置の加入者、または発呼側が、（ｉ）呼接続する処理の前に、成熟度もしくは制限度に基づいて発呼側に再生されるリングバックトーン（ＲＢＴ）のコンテンツを制御し、または（ｉｉ）呼接続する処理中に動的に制御することができる方法およびシステムを含む。このサービスは、通信業者により有料機能またはサービス機能として、顧客に提供することができる。
【０００８】
本発明の第１の実施形態では、発呼者の成熟度プロファイルがデータベース内に定義される。このようなプロファイルは、ペアレントコントロールが実施されているか否かのようなブール情報または発呼者装置に相関付けられた成熟度もしくは制限度等の非ブール情報を含むことができる。この情報は、回線情報データベース（ＬＩＤＢ）等の発信元交換局に関連するデータベースまたはホームロケーションレジスタ（ＨＬＲ）もしくはホーム加入者サーバ（ＨＳＳ）等の別個のデータベースサーバに保持することができる。発呼者が着呼側に電話を掛けると、呼はネットワークノード、通常は発呼者の交換機またはＧＭＳＣ、例えば、ホームＧＭＳＣにルーティングされる。ホームＧＭＳＣは、着呼側装置に相関付けられた加入者のＨＬＲに問い合わせて、上記加入者のプロファイルから情報を得る。ＳＣＰは通常、ＲＢＴサービスを、例えば、ＲＢＴコンテンツを発呼者に向けて再生するように構成されたインテリジェントペリフェラル（ＩＰ）プレーヤから呼び出すことにより、ＲＢＴサービスを処理する。終端側に対する発呼者制御に基づいて、適切なＲＢＴコンテンツを送信するメカニズムは、プッシュ方法またはプル方法のいずれかを使用して達成することができる。プッシュ方法の場合、発呼者の成熟度がＲＢＴサービスノード（ＳＣＰまたはＩＰプレーヤのいずれか）に送信される。着呼側の装置に信号通知するために使用できる、異なるプロトコルがあるのと全く同じように、本発明を実施するために使用できるいくつかの方法およびシステムがある。例えば、プッシュ方法を使用して、発呼者からの信号伝送は、ＧＭＳＣへのＩＳＵＰ、ＧＭＳＣからＳＣＰへのＣＡＭＥＬ、およびＳＣＰからＩＰプレーヤへのＣＡＭＥＬを使用し得る。あるいは、信号伝送は、これらネットワーク要素間のＳＩＰを使用し得る。
【０００９】
プル方法では、ＳＣＰは、発信元交換局または発呼サービスデータベースに問い合わせてもよく、または発呼データベースに問い合わせることができるＩＰプレーヤに任せてもよい。発呼者について受信した情報に応答して、ＩＰプレーヤは、前記情報に基づいてＲＢＴコンテンツで応答するか、または応答するように命令され得る。例えば、情報が、発呼者がペアレントコントロール下にあるか、または成熟度もしくは制限度に基づいて制限を有することを示す場合、その制限に合わない着呼側により選択されたＲＢＴコンテンツは、より適したＲＢＴコンテンツで代替することができ、適したコンテンツが利用可能ではない場合、呼出音または他のメディアの等価のコンテンツ等のデフォルトＲＢＴコンテンツを発呼者に対して再生することができる。プル方法を実施するには、ＲＢＴコンテンツを、例えば、格付け組織により格付けし、サービスプロバイダが、発呼側の成熟度に基づいて、ＲＢＴコンテンツをコンテンツ格付けと照合する能力を提供することが予め必要である。
【００１０】
本発明の第２の実施形態では、呼が開始されると（例えば、呼設定中）、発呼者が、例えば、特定のキーストロークを装置のキーパッドに入力することにより、ＲＢＴコンテンツの再生をディスエーブルすることができるか、または現在のＲＢＴコンテンツ選択をスキップし、ＲＢＴサービスに代替のＲＢＴコンテンツを選択するように促すことができる方法およびシステムが提供される。
【００１１】
以下の項において、図示される例示的な実施形態を参照して本発明を説明する。
【図面の簡単な説明】
【００１２】
図面の簡単な説明
【図１】成熟度または制限度情報がＩＰプレーヤにプッシュされる、本発明の第１の実施形態を示す信号伝送図である。
【図２】成熟度または制限度情報がＩＰプレーヤによりプルされる、本発明の第１の実施形態を示す信号伝送図である。
【図３】本発明の第１の実施形態のステップのフローチャートである。
【図４】本発明の第２の実施形態のステップのフローチャートである。
【図５】本発明を実施するシステムのブロック図である。
【発明を実施するための形態】
【００１３】
詳細な説明
本発明は、発呼者に、発呼者の携帯ハンドセット、個人情報端末、スマートフォン、局、端末、電話、またはユーザ装置（本明細書では、装置または電話と集合的に呼ばれることもある）で聞こえるＲＢＴコンテンツのアクティブ化、非アクティブ化、および／または他の様式での制御を行う能力を提供するように構成される。発呼者のＲＢＴ制御は、電話を掛ける前に、着呼側のＲＢＴ選択を無効にするように、発呼者のブールまたは非ブールペアレントコントロール、成熟度、または制限度を設定し、かつ／または変更する能力および発呼者が電話を掛けている間に、着呼側のＲＢＴ選択を取り替えるかまたは無効にする能力を含むが、これらに限定されない。他の実施形態では、装置が発呼者に相関付けられた加入者が、呼単位またはセッション単位で制限を無効にするかまたは変更することができる。
【００１４】
加入者はさらに、呼単位またはセッション単位で、所定の時間制限に従って成熟度または制限度を制御することができる。換言すれば、成熟度または制限度は、加入者により「オフにされる」まで有効であることができ、契約された成熟度または制限度は、加入者により「オンにされる」まで、有効であることができる。このメカニズムは、発呼者により制限レベルを反転させるように動作可能な特徴符号を提供することにより実施される。本発明の一態様では、制限レベルは、制限の漸進的なレベル等の非ブール様式で実施されるため、加入者は制限レベルを上下に移動させることが可能である。これは、サービス呼−制限を反転または契約オプション、例えば、制限レベルを変更するための呼−を掛けることにより行うことができる。あるいは、制限はブール（オンまたはオフのいずれか）であることができ、それにより、加入者は、制限をオンにするか、またはオフにするかのオプションしか有さない。
【００１５】
本発明の第１の実施形態では、発呼者が着呼側に電話を掛けると、呼は、発呼側のエンドオフィススイッチまたは移動交換センタ（ＭＳＣ）からネットワークノード、通常は着呼側のエンドオフィススイッチまたはゲートウェイ移動交換センタ（ＧＭＳＣ）（ホームＧＭＳＣ）にルーティングされる。発呼側のエンドオフィススイッチまたはＭＳＣは、発呼加入者のプロファイルを永久的に記憶するか、またはホームロケーションレジスタ（ＨＬＲ）等のデータベースから動的にフェッチする。このようなプロファイルは、ペアレントコントロールが実施されているか否かのようなブール情報または発呼者装置に相関付けられた成熟度または制限度に関する情報等の非ブール情報を含むことができる。この情報は、ホーム加入者サーバ（ＨＳＳ）に保持することもできる。ホームＧＭＳＣは、着呼側装置に相関付けられた加入者のホームロケーションレジスタ（ＨＬＲ）に問い合わせて、前記加入者のプロファイルから情報を得る。終端側に対する発呼者制御に基づいて適切なＲＢＴコンテンツを送信するメカニズムは、プッシュ方法またはプル方法のいずれかを使用して達成することができる。サービス制御ポイント（ＳＣＰ）は通常、ＲＢＴサービスを、例えば、ＲＢＴコンテンツを発呼者に再生するように構成されたインテリジェントペリフェラル（ＩＰ）プレーヤから呼び出すことにより、ＲＢＴサービスを処理する。着呼側の装置に信号通知するために使用できる、異なるプロトコルがあるのと全く同じように、本発明を実施するために使用できるいくつかの方法およびシステムがある。例えば、プッシュ方法を使用して、発呼者からの信号伝送は、ＧＭＳＣへのＩＳＤＮユーザ部（ＩＳＵＰ）、ＧＭＳＣからＳＣＰへの移動網用拡張ロジックのためのカスタマイズアプリケーション（ＣＡＭＥＬ）、およびＳＣＰからＩＰプレーヤへのＣＡＭＥＬを使用し得る。あるいは、発呼者からの信号伝送は、ＧＭＳＣおよびＩＳＵＰへのＩＳＵＰ、セッション開始プロトコル（ＳＩＰ）、またはＩＰプレーヤに直接のＨ．２３２を使用し得る。
【００１６】
プル方法では、ＳＣＰは、ＧＭＳＣまたは発呼サービスデータベース（発信元交換機であり得る）に問い合わせてもよく、または発呼データベースに問い合わせることができるＩＰプレーヤに任せてもよい。発呼者について受信した情報に応答して、ＩＰプレーヤは、前記情報に基づいてＲＢＴコンテンツで応答するか、または応答するように命令され得る。例えば、情報が、発呼者がペアレントコントロール下にあるか、または成熟度もしくは制限度に基づいて制限を有することを示す場合、その制限に合わない着呼側により選択されたＲＢＴコンテンツは、より適したＲＢＴコンテンツで代替することができ、適したコンテンツが利用可能ではない場合、呼出音または他のメディアの等価のコンテンツ等のデフォルトＲＢＴコンテンツを発呼者に対して再生することができる。
【００１７】
これより図１を参照して、成熟度または制限度情報がＩＰプレーヤにプッシュされる本発明の第１の実施形態を示す信号伝送図を提供する。図１に示されるように、メッセージ１０１において、発呼者は呼を開始する。メッセージ１０２において、発信元交換局は、発呼者の成熟度または制限度をローカルまたはリモートのデータベースからフェッチする。メッセージ１０３において、発信元交換局は、初期メッセージ（例えば、ＩＳＵＰ  ＩＡＭ、ＳＩＰ  ＩＮＶＩＴＥ等）を終端交換局に送信する。これは、発呼者の成熟度または制限度を含む。メッセージ１０４において、終端交換局は、着呼加入者データをホーム加入者データベース（例えば、ＨＬＲ、ＨＳＳ等）からフェッチする。メッセージ１０５において、終端交換局は、アプリケーションサーバ（例えば、ＳＣＰ）と交信して、呼の制御をとる。メッセージ１０６において、アプリケーションサーバは、ＩＰプレーヤに接続するように、終端交換局に命令する。メッセージ１０７において、終端交換局はＩＰプレーヤに接続する。これは、初期メッセージ内に発呼者の成熟度または制限度を含む。メッセージ１０８において、ＩＰプレーヤは、着呼加入者プロファイルと、発呼者の成熟度または制限度とに従って適切なトーンを選択する。ステップ１０９において、ＩＰプレーヤは、ＲＢＴコンテンツの再生を開始する。
【００１８】
これより図２を参照して、成熟度または制限度情報がＩＰプレーヤによりプルされる本発明の第１の実施形態を示す信号伝送図を提供する。図２に示されるように、メッセージ２０１において、発呼者は呼を開始する。メッセージ２０２において、発信元交換局は、発呼者の成熟度または制限度のない初期メッセージ（例えば、ＩＳＵＰ  ＩＡＭ、ＳＩＰ  ＩＮＶＩＴＥ等）を終端交換局に送信する。メッセージ２０３において、終端交換局は、着呼加入者データをホーム加入者データベース（例えば、ＨＬＲ、ＨＳＳ等）からフェッチする。メッセージ１０４において、終端交換局は、アプリケーションサーバ（例えば、ＳＣＰ）と交信して、呼の制御をとる。メッセージ２０５において、アプリケーションサーバは、ＩＰプレーヤに接続するように、終端交換局に命令する。メッセージ２０６において、終端交換局はＩＰプレーヤに接続する。メッセージ２０７において、プレーヤは、発呼者の成熟度または制限度をデータベースからフェッチする。このデータベースは、スタンドアロン要素であってもよく、またはホーム加入者データベース、発信元交換局、もしくは他の何等かのノードの部分であってもよい。メッセージ２０８において、ＩＰプレーヤは、着呼加入者プロファイルおよび発呼者の成熟度または制限度に従って適切なトーンを選択する。ステップ２０９において、ＩＰプレーヤはＲＢＴコンテンツの再生を開始する。
【００１９】
図３を参照して、本発明の第１の実施形態の方法のフローチャートを提供する。この実施形態のために、装置が着呼側に電話を掛けるために使用される加入者が、特定の成熟度または制限度を記載した発呼者データベースに記憶されたプロファイルを有するものと仮定される。図３に示されるように、ステップ３０１において、ＲＢＴは、発呼者が着呼側に電話を掛けた後、着呼加入者のＲＢＴプロファイルに基づいて選択される。ステップ３０２において、発呼者のプロファイル内の情報が、着呼側のＲＢＴコンテンツに関するＲＢＴコンテンツ格付け情報と突き合わせて検討される。この検討に基づいて、選択されたＲＢＴコンテンツが発呼者の成熟度または制限度に合うか否かが判断される。合っている場合、ステップ３０３において、ＲＢＴコンテンツが発呼者により前にブロックされたか否かが判断される。ブロックされていない場合、ステップ３０４において、ＲＢＴコンテンツは、発呼者に対して再生または表示される。ステップ３０２において、コンテンツが発呼者の成熟度または制限度に合わない場合、またはステップ３０３において、ＲＢＴコンテンツが前にブロックされていた場合、ステップ３０５において、ランダム再生リストが選択されているか否か、および代替のＲＢＴコンテンツが利用可能であるか否かが判断される。ランダム再生リストが選択されており、かつ代替のＲＢＴコンテンツが利用可能な場合、ステップ３０６において、代替のＲＢＴコンテンツが選択され、適合性検討ステップ３０２／以前のブロックステップ３０３が実行される。その他の場合、ステップ３０７において、着呼側により選択された代替のＲＢＴコンテンツ選択が利用可能であるか否かが判断される。利用可能な場合、ステップ３０８において、代替のＲＢＴコンテンツが選択され、適合性検討ステップ３０２／以前のブロックステップ３０３が実行される。利用可能ではない場合、ステップ３０９において、システムデフォルトが利用可能であるか否か、およびまだ選択されていないかどうかが判断される。デフォルトが利用可能であり、かつまだ選択されていない場合、ステップ３１０において、システムデフォルトが選択され、適合性検討ステップ１０２／以前のブロックステップ１０３が実行される。その他の場合、ステップ３１１において、従来のリングが発呼側に対して再生される。この方法は、ステップ３０４または３１１のいずれかに最初に到達した後、ステップ３１２において終了する。
【００２０】
本発明の第１の実施形態は、例えば、アダルト材料および野卑で攻撃的な歌等の不適切な材料の装置の発呼者への提示をブロックすることにより制御する能力をサービスプロバイダが加入者に提供することを容易にする。本発明がなければ、発呼者が、攻撃的と考えられ得るＲＢＴコンテンツを制御することは可能ではない。
【００２１】
本発明の第１の実施形態では、発呼者の成熟度または制限度に関する情報は、発呼側データベースに保存され、ＳＣＰまたはＲＢＴプラットフォームに提供される。第１の実施形態の一態様では、発呼者には、成熟度または制限度が自動的に割り当てられる。あるいは、サービス合意または契約に基づいてネットワークにより識別される発呼者は、成熟度または制限度を自発的に選択または契約してもよい。この成熟度または制限度は、交換機にローカルに、またはデータベース、例えば、回線情報データベース、サービス制御ポイント、ホームロケーションレジスタ、またはホーム加入者サーバ等に記憶することができる。
【００２２】
呼、データセッション、またはマルチメディアセッションが発信されると、発信元交換機またはデータベースは、発呼者の成熟度または制限度を終端交換機またはサービスプロバイダにプッシュするように構成される。このような転送がない場合には、終端サービスプロバイダが、発呼者が使用している装置の成熟度または制限度を発信元交換機から、必要に応じてプルすることが可能である。次に、成熟度または制限度は、ＩＳＤＮユーザ部（ＩＳＵＰ）初期アドレスメッセージ（ＩＡＭ）、ＣＡＭＥＬアプリケーション部／知的ネットワークアプリケーションプロトコル（ＣＡＰ／ＩＮＡＰ）初期ＤＰメッセージ、およびセッション開始プロトコル（ＳＩＰ）：ＩＮＶＩＴＥ等のいくつかの方法で発信元交換機から終端交換機に搬送することができる。同様にして、終端交換機からのトランザクション機能応用部（ＴＣＡＰ）またはＳＩＰクエリにより、成熟度または制限度をプルすることができる。初期ＤＰおよびＩＡＭメッセージの両方が、一般的に、通常、テスト、オペレータ、公衆電話、刑務所、ホテル、病院、警察、セルラ、セルラローミング、および未知の発呼者等の情報を搬送する発呼者側カテゴリ（ＣＰＣ）パラメータをサポートする。本発明では、このパラメータは、加入者／発呼者により選択され、加入者／発呼者の装置に属する成熟度または制限度を含むように強化される。例えば、この分類は、子供、ティーンジュニア、ティーンシニア、若年成人、および成人であることができる。ＣＰＣを拡張することに代えて、汎用ディジットまたは別のパラメータを使用して、同じ情報をサービスプラットフォームに搬送することも可能である。
【００２３】
本発明により使用される成熟度または制限度は、映画および他のメディアに現在適用されている格付けに相関付けることができる。有利なことには、本発明では、加入者は、発呼者の成熟度または制限度に適切なＲＢＴコンテンツを割り当てることが可能である。本発明は、各コンテンツ格付けおよび／または成熟度もしくは制限度に１つずつ、複数のデフォルトを指定するように構成することができる。同様に、ランダムプレイを、成熟度または制限度のみにより識別されたグループに適用することもできる。
【００２４】
本発明は、ＲＢＴコンテンツのペアレントコントロールに役立つことに限定されない。本発明は、ゲームアプリケーション、ビデオアプリケーション、および提示される材料に対する法的規制またはユーザ選択の制限が要求されるか、または必要な他のアプリケーション等の発呼者の成熟度または制限度に関する既知の情報に基づく任意のサービスで使用することができる。本発明は、呼または通信セッションでのサイレント間隔（ミュート、保留等）中でのＲＢＴコンテンツ（広告、または着呼側で選択される材料）の提示と併せて使用することもできる。
【００２５】
本発明の第２の実施形態では、発呼者が、電話を掛けると、例えば、特定のキーストロークを装置のキーパッドに入力することにより、ＲＢＴコンテンツの再生をディスエーブルすることができる方法およびシステムが提供される。例えば、発呼者が電話を掛けると、発呼者は、発呼中、または発呼後およびＲＢＴ再生中に実行することができる特定のオプションを有する。
（１）その特定の呼に対してＲＢＴを非アクティブ化するには、発呼者は、キーパッド、音声認識システム、および／またはタッチスクリーン等の電話の入力手段により、特定の入力コードを入力するか、またはそれでプロンプトに応答し、入力コードは、システムにより復号化される［システムのどの部分が、受信および復号化に協働するかを示し、次に、ＲＢＴコンテンツを非アクティブ化または変更する］（例えば、このような発呼者入力は「＊ＲＢＴ＊Ｐ＊Ｂ−［番号］」であり得る）。あるいは、このサービスに永久的に契約し得、それにより、加入者はすべての呼に対してＲＢＴを非アクティブ化することもできる。［このような場合、サービスは、プラットフォームまたは加入者識別モジュール（ＳＩＭ）に実装されるハードワイヤード回路、ソフトウェアにより電話に結合することができる］。
（２）特定の呼の特定のＲＢＴを非アクティブ化するには、発呼者は、「＊ＰＰ」等の異なる入力コードを入力するか、またはそれでプロンプトに応答することができる。これは、ランダムプレイＲＢＴオプションがオペレータにより許可されている場合に使用することができる。このコードが入力されると、プレーヤはリスト内の次のトーンに飛ぶ。
（３）特定の呼およびその特定の着呼側のすべての将来の呼に対してＲＢＴを非アクティブ化するには、発呼者は、「＊ＲＢＴ＊Ｃ＊Ｂ−［番号］」等の異なる入力コードを入力するか、プロンプトに異なる入力コードで応答することができる。
（４）特定の呼およびその特定の着呼側のすべての将来の呼に対してＲＢＴを再アクティブ化するには、発呼者は、「ＲＢＴ＊Ｒ＊Ｂ−［番号］」等の異なる入力コードを入力するか、プロンプトに異なる入力コードで応答することができる。発呼者がＲＢＴコンテンツの非アクティブ化を永久的に契約した場合、加入者は、呼毎にＲＢＴを再アクティブ化し得る。
（５）特定の呼に対してペアレントコントロールを非アクティブ化するには、発呼者は、「ＰＣ＊Ｐ＊ＰＷ＊Ｂ−［番号］」等の異なる入力コードを入力するか、プロンプトに異なる入力コードで応答することができる。但し、ＰＷはパスワードである。
（６）その特定の呼およびその特定の着呼側のすべての将来の呼に対してペアレントコントロールを非アクティブ化するには、発呼者は、「ＰＣ＊Ｃ＊ＰＷ＊Ｂ−［番号］」等の異なる入力コードを入力するか、プロンプトに異なる入力コードで応答することができる。
（７）その特定の呼および任意の着呼側のすべての将来の呼に対してペアレントコントロールを非アクティブ化するには、発呼者は、「ＰＣ＊Ａ＊ＰＷ＊Ｂ−［番号］」等の異なる入力コードを入力するか、プロンプトに異なる入力コードで応答することができる。
（８）その特定の呼およびその特定の着呼側のすべての将来の呼に対してペアレントコントロールを再アクティブ化するには、発呼者は、「ＰＣ＊Ｒ＊Ｂ−［番号］，ＰＷ」等の異なる入力コードを入力するか、プロンプトに異なる入力コードで応答することができる。上記のすべての星（＊）コードは、規格またはサービスプロバイダにより定義される。コードが、ＲＢＴ再生中に入力された場合、最後に「＊Ｂ−［番号］」は必要ない。
【００２６】
図４は、本発明の第２の実施形態のステップのフローチャートである。図４に示されるように、ステップ４０１において、発呼側は、ＲＢＴ加入者である着呼側に電話を掛ける。ステップ４０２において、発呼者は、着呼側のＲＢＴコンテンツを聴くか、または閲覧し始める。ステップ４０３において、発呼者は、ＲＢＴコンテンツが好きか否かを判断する。ＲＢＴコンテンツが好きな場合、ステップ４０４において、着呼側が応えるまでＲＢＴコンテンツを引き続き聴くか、または閲覧し、処理はステップ４１１において終了する。ステップ４０５において、ＲＢＴコンテンツが好きではない場合、ステップ４０６において、発呼者は、その特定のＲＢＴコンテンツをブロックするように要求するオプションを有することができる。ステップ４０７において、発呼者は、発呼者の装置から掛けられる将来のすべての呼で特定のＲＢＴコンテンツをブロックすることができる。それにも関わらず、発呼者が将来のＲＢＴコンテンツをブロックしたくない場合、ステップ４０８において、代替のＲＢＴコンテンツが利用可能であるか否かを要求することができる。代替のＲＢＴコンテンツが利用可能な場合、ステップ４０９において、代替のＲＢＴコンテンツを再生し、かつ／または表示することができる。この代替のＲＢＴコンテンツに関して、方法はステップ４０３に戻り、発呼者は、代替のＲＢＴコンテンツが好きか否かを判断することができ、方法は、その判断に応じてステップ４０４または４０５に続く。代替のコンテンツが利用可能ではない場合、ステップ４１０において、デフォルトＲＢＴコンテンツが、着呼側が応えるまで再生され、かつ/または表示され、処理はステップ４１１において終了する。
【００２７】
これより図５を参照して、本発明のステップを実行するように構成されたシステムのブロック図を示す。図５に示されるのは、発信元交換機５０２に結合された発呼側装置５０１である。発信元交換機５０２は次に、着呼側ＧＭＳＣ５０３に結合され、着呼側ＧＭＳＣ５０３は着呼側ＨＬＲ５０４に結合される。着呼側ＨＬＲ５０４は、発呼側データベース５０５に結合される。発呼側データベース５０５は、発呼側の装置に属するレベルまたは制限度のプロファイルを保持する。ＳＣＰ５０６およびＩＰプレーヤ５０７も着呼側ＧＭＳＣ５０３に結合される。着呼側プロビジョニングシステム５０８はＩＰプレーヤ５０７に結合され、着呼側ＲＢＴプロファイル５０９はプロビジョニングシステム５０８に結合される。
【００２８】
当業者には認識されるように、本願において説明された革新的な概念は、広範囲の用途に亘って変更および変形が可能である。したがって、特許請求される主題の範囲は、上述された特定の例示的な教示のいずれによっても限定されるべきではなく、それに代えて、以下の特許請求の範囲により規定される。
【図１】
2010531603.tif 000003
【図２】
2010531603.tif 000004
【図３】
2010531603.tif 000005
【図４】
2010531603.tif 000006
【図５】
2010531603.tif 000007
【国際調査報告】
2010531603.tif 000008
2010531603.tif 000009